【手続補正書】
【提出日】平成17年11月16日(2005.11.16)
【手続補正１】
【補正対象書類名】特許請求の範囲
【補正対象項目名】全文
【補正方法】変更
【補正の内容】
【特許請求の範囲】
【請求項１】
少なくとも１つのサーバからクライアント装置へのデータの転送を容易にする方法であって、
少なくとも、ダウンロードする前記データの識別情報と、前記少なくとも１つのサーバの識別情報とを含むパラメータを、前記データを前記クライアント装置に転送する前に識別されたコンピュータに供給するステップを含み、
前記事前に識別されたコンピュータが、前記パラメータを用いて、前記少なくとも１つのサーバから前記コンピュータに前記データを転送する、前記少なくとも１つのサーバからクライアント装置へのデータの転送を容易にする方法。
【請求項２】
供給すべき前記パラメータを取得するステップを含む、請求項１に記載の少なくとも１つのサーバからクライアント装置へのデータの転送を容易にする方法。
【請求項３】
前記供給すべき前記パラメータを取得するステップが、前記データを前記クライアント装置に転送する前記コンピュータの識別情報を含むパラメータを取得するステップを含む、請求項２に記載の少なくとも１つのサーバからクライアント装置へのデータの転送を容易にする方法。
【請求項４】
前記コンピュータの前記識別情報を含むパラメータを取得するステップが、メモリから前記コンピュータの前記識別情報を取得するステップを含む、請求項３に記載の少なくとも１つのサーバからクライアント装置へのデータの転送を容易にする方法。
【請求項５】
前記供給すべき前記パラメータを取得するステップが、前記少なくとも１つのサーバ上の前記識別されたデータにアクセスするのに必要なユーザ情報を含むパラメータを取得するステップを含む、請求項２に記載の少なくとも１つのサーバからクライアント装置へのデータの転送を容易にする方法。
【請求項６】
前記供給すべき前記パラメータを取得するステップが、
前記識別されたデータをダウンロードするための、前記少なくとも１つのサーバに対する要求を取り込むステップと、
前記取り込まれた要求から、前記パラメータの少なくとも一部を抽出するステップとを含む、請求項２に記載の少なくとも１つのサーバからクライアント装置へのデータの転送を容易にする方法。
【請求項７】
前記事前に識別されたコンピュータから前記クライアント装置に前記データを転送するステップを含む、請求項１に記載の少なくとも１つのサーバからクライアント装置へのデータの転送を容易にする方法。
【請求項８】
前記事前に識別されたコンピュータに、前記パラメータと共にコンピュータ・コードを供給するステップを含み、
前記事前に識別されたコンピュータが、前記パラメータを用いて前記少なくとも１つのサーバから前記コンピュータに前記データを転送する際に、前記供給されたコンピュータ・コードを実行する、請求項１に記載の少なくとも１つのサーバからクライアント装置へのデータの転送を容易にする方法。
【請求項９】
少なくとも１つのサーバからクライアント装置へのデータの転送を容易にする方法であって、
前記少なくとも１つのサーバからのデータのダウンロードを容易にするプロキシを供給するステップと、
前記プロキシを用いて、前記少なくとも１つのサーバから前記データをダウンロードし、次いで、前記ダウンロードされたデータを前記クライアント装置に転送するコンピュータに前記プロキシを送信するステップとを含む、前記少なくとも１つのサーバからクライアント装置へのデータの転送を容易にする方法。
【請求項１０】
少なくとも、前記データの識別情報と、前記少なくとも１つのサーバの識別情報と、前記コンピュータの識別情報とを含むパラメータを取得するステップを含み、
前記プロキシを供給するステップが、前記取得したパラメータを用いるプロキシを生成するステップを含む、請求項９に記載の少なくとも１つのサーバからクライアント装置へのデータの転送を容易にする方法。
【請求項１１】
前記パラメータを取得するステップが、
前記識別されたデータをダウンロードするための、前記少なくとも１つのサーバに対する要求を取り込むステップと、
前記取り込まれた要求から、前記パラメータの少なくとも一部を抽出するステップとを含む、請求項１０に記載の少なくとも１つのサーバからクライアント装置へのデータの転送を容易にする方法。
【請求項１２】
前記プロキシを供給するステップが、コンピュータ・コードを含むプロキシを供給するステップを含み、前記コンピュータ・コードが実行されると、前記少なくとも１つのサーバから前記データがダウンロードされる、請求項９に記載の少なくとも１つのサーバからクライアント装置へのデータの転送を容易にする方法。
【請求項１３】
少なくとも１つのサーバからクライアント装置へのデータの転送を容易にする方法であって、
少なくとも、ダウンロードする前記データの識別子と、前記少なくとも１つのサーバの識別情報とを含むパラメータを有するプロキシを受信するステップと、
前記プロキシを用いて、前記識別された少なくとも１つのサーバから前記識別されたデータをダウンロードするステップと、
前記ダウンロードされたデータを前記クライアント装置に転送するステップと、
を含む、前記少なくとも１つのサーバからクライアント装置へのデータの転送を容易にする方法。
【請求項１４】
前記受信したプロキシを記憶するステップを含み、
前記プロキシを受信するステップが、前記識別された少なくとも１つのサーバから前記識別されたデータをダウンロードする時間を含むパラメータを有するプロキシを受信するステップを含み、
前記データをダウンロードするステップが、前記記憶されたプロキシを用いて、前記プロキシの前記パラメータで指示される時間に、前記識別された少なくとも１つのサーバから前記識別されたデータをダウンロードするステップを含む、請求項１３に記載の少なくとも１つのサーバからクライアント装置へのデータの転送を容易にする方法。
【請求項１５】
前記プロキシを受信するステップが、前記識別された少なくとも１つのサーバ上の前記識別されたデータにアクセスするのに必要なユーザ情報を含むパラメータを有するプロキシを受信するステップを含み、
前記データをダウンロードするステップが、前記プロキシに含まれる前記ユーザ情報を用いて、前記識別された少なくとも１つのサーバから前記識別されたデータをダウンロードするステップを含む、請求項１３に記載の少なくとも１つのサーバからクライアント装置へのデータの転送を容易にする方法。
【請求項１６】
前記ダウンロードされたデータを記憶するステップを含み、
前記ダウンロードされたデータを転送するステップが、
前記記憶されたデータへのリンクを含む電子的なメッセージをユーザに送るステップと、
前記リンクがアクセスされた後で、前記ユーザが操作するクライアント装置に前記記憶されたデータを送信するステップとを含む、請求項１３に記載の少なくとも１つのサーバからクライアント装置へのデータの転送を容易にする方法。
【請求項１７】
少なくとも１つのサーバからクライアント装置へのデータの転送を容易にするシステムであって、
ユーザ入力に応答して、少なくとも、ダウンロードする前記データの識別情報および前記少なくとも１つのサーバの識別情報を含むパラメータを、ユーザ装置からコンピュータに供給させるプログラムを前記ユーザ装置内に備え、
前記ユーザ装置から前記パラメータを受信することに応答して、前記コンピュータが、前記パラメータを用いて、前記少なくとも１つのサーバから前記コンピュータに前記識別されたデータをダウンロードし、前記クライアント装置から受信した通信に応答して、前記クライアント装置に前記ダウンロードされたデータを転送する、前記少なくとも１つのサーバからクライアント装置へのデータの転送を容易にするシステム。
【請求項１８】
前記プログラムを含むユーザ装置を備える、請求項１７に記載の少なくとも１つのサーバからクライアント装置へのデータの転送を容易にするシステム。
【請求項１９】
少なくとも１つのサーバからクライアント装置へのデータの転送を容易にするシステムであって、
前記少なくとも１つのサーバからのデータのダウンロードを容易にするプロキシを供給する手段と、
前記プロキシを用いて、前記少なくとも１つのサーバから前記データをダウンロードし、次いで、前記ダウンロードされたデータを前記クライアント装置に転送するコンピュータに前記プロキシを送信する手段と、
を備える、前記少なくとも１つのサーバからクライアント装置へのデータの転送を容易にするシステム。
【請求項２０】
少なくとも、前記データの識別情報と、前記少なくとも１つのサーバの識別情報と、前記コンピュータの識別情報とを含むパラメータを取得する手段を備え、
前記プロキシを供給する手段が、前記取得したパラメータを用いるプロキシを供給する手段を備える、請求項１９に記載の少なくとも１つのサーバからクライアント装置へのデータの転送を容易にするシステム。
【請求項２１】
前記パラメータを取得する手段が、
前記識別されたデータをダウンロードするための、前記少なくとも１つのサーバに対する要求を取り込む手段と、
前記取り込まれた要求から、前記パラメータの少なくとも一部を抽出する手段とを備える、請求項２０に記載の少なくとも１つのサーバからクライアント装置へのデータの転送を容易にするシステム。
【請求項２２】
前記プロキシを供給する手段が、コンピュータ・コードを含むプロキシを供給する手段を備え、前記コンピュータ・コードが実行されると、前記少なくとも１つのサーバから前記データがダウンロードされる、請求項１９に記載の少なくとも１つのサーバからクライアント装置へのデータの転送を容易にするシステム。
【請求項２３】
少なくとも１つのサーバからクライアント装置へのデータの転送を容易にするシステムであって、
少なくとも、ダウンロードする前記データの識別子と、前記少なくとも１つのサーバの識別情報とを含むパラメータを有するプロキシを受信する手段と、
前記プロキシを用いて、前記識別された少なくとも１つのサーバから前記識別されたデータをダウンロードする手段と、
前記ダウンロードされたデータを前記クライアント装置に転送する手段と、
を備える、前記少なくとも１つのサーバからクライアント装置へのデータの転送を容易にするシステム。
【請求項２４】
前記受信したプロキシを記憶する手段を備え、
前記プロキシを受信する手段が、前記識別された少なくとも１つのサーバから前記識別されたデータをダウンロードする時間を含むパラメータを有するプロキシを受信する手段を備え、
前記プロキシを用いる手段が、前記記憶されたプロキシを用いて、前記プロキシの前記パラメータで指示される時間に、前記識別された少なくとも１つのサーバから前記識別されたデータをダウンロードする手段を備える、請求項２３に記載の少なくとも１つのサーバからクライアント装置へのデータの転送を容易にするシステム。
【請求項２５】
前記プロキシを受信する手段が、前記識別された少なくとも１つのサーバ上の前記識別されたデータにアクセスするのに必要なユーザ情報を含むパラメータを有するプロキシを受信する手段を備え、
前記プロキシを用いる手段が、前記プロキシに含まれる前記ユーザ情報を用いて、前記識別された少なくとも１つのサーバから前記識別されたデータをダウンロードする手段を備える、請求項２３に記載の少なくとも１つのサーバからクライアント装置へのデータの転送を容易にするシステム。
【請求項２６】
コンピュータ内で実行されるコンピュータ読み取り可能コードを有するコンピュータで使用可能な媒体を含むコンピュータ・プログラム製品であって、前記コンピュータ読み取り可能コードが実行されると、少なくとも１つのサーバからクライアント装置へのデータの転送を容易にする方法がコンピュータにより実行され、前記方法が、
前記少なくとも１つのサーバからのデータのダウンロードを容易にするプロキシを供給するステップと、
前記プロキシを用いて、前記少なくとも１つのサーバから前記データをダウンロードし、次いで、前記ダウンロードされたデータを前記クライアント装置に転送するコンピュータに前記プロキシを送信するステップと、
を含む、前記コンピュータ内で実行されるコンピュータ読み取り可能コードを有するコンピュータで使用可能な媒体を含むコンピュータ・プログラム製品。
【請求項２７】
前記実行される方法において、少なくとも前記データの識別情報と、前記少なくとも１つのサーバの識別情報と、前記コンピュータの識別情報とを含むパラメータを取得するステップを含み、
前記実行される方法において、前記プロキシを供給するステップが、前記取得したパラメータを用いるプロキシを供給するステップを含む、請求項２６に記載のコンピュータ内で実行されるコンピュータ読み取り可能コードを有するコンピュータで使用可能な媒体を含むコンピュータ・プログラム製品。
【請求項２８】
前記実行される方法において、パラメータを取得するステップが、
前記識別されたデータをダウンロードするための、前記少なくとも１つのサーバに対する要求を取り込むステップと、
前記取り込まれた要求から、前記パラメータの少なくとも一部を抽出するステップとを含む、請求項２７に記載のコンピュータ内で実行されるコンピュータ読み取り可能コードを有するコンピュータで使用可能な媒体を含むコンピュータ・プログラム製品。
【請求項２９】
前記実行される方法において、前記プロキシを供給するステップが、コンピュータ・コードを含むプロキシを供給するステップを含み、前記コンピュータ・コードが実行されると、前記少なくとも１つのサーバから前記データがダウンロードされる、請求項２６に記載のコンピュータ内で実行されるコンピュータ読み取り可能コードを有するコンピュータで使用可能な媒体を含むコンピュータ・プログラム製品。
【請求項３０】
コンピュータ内で実行されるコンピュータ読み取り可能コードを有するコンピュータで使用可能な媒体を含むコンピュータ・プログラム製品であって、前記コンピュータ読み取り可能コードが実行されると、少なくとも１つのサーバからクライアント装置へのデータの転送を容易にする方法がコンピュータにより実行され、前記方法が、
少なくとも、ダウンロードする前記データの識別子と、前記少なくとも１つのサーバの識別情報とを含むパラメータを有するプロキシを受信するステップと、
前記プロキシを用いて、前記識別された少なくとも１つのサーバから前記識別されたデータをダウンロードするステップと、
前記ダウンロードされたデータを前記クライアント装置に転送するステップと、
を含む、前記コンピュータ内で実行されるコンピュータ読み取り可能コードを有するコンピュータで使用可能な媒体を含むコンピュータ・プログラム製品。
【請求項３１】
前記実行される方法において、
前記受信したプロキシを記憶するステップを含み、
前記実行される方法において、プロキシを受信するステップが、前記識別された少なくとも１つのサーバから前記識別されたデータをダウンロードする時間を含むパラメータを有するプロキシを受信するステップを含み、
前記実行される方法において、前記プロキシを用いるステップが、前記記憶されたプロキシを用いて、前記プロキシの前記パラメータで指示される時間に、前記識別された少なくとも１つのサーバから前記識別されたデータをダウンロードするステップを含む、請求項３０に記載のコンピュータ内で実行されるコンピュータ読み取り可能コードを有するコンピュータで使用可能な媒体を含むコンピュータ・プログラム製品。
【請求項３２】
前記実行される方法において、プロキシを受信するステップが、前記識別された少なくとも１つのサーバ上の前記識別されたデータにアクセスするのに必要なユーザ情報を含むパラメータを有するプロキシを受信するステップを含み、
前記実行される方法において、前記プロキシを用いるステップが、前記プロキシに含まれる前記ユーザ情報を用いて、前記識別された少なくとも１つのサーバから前記識別されたデータをダウンロードするステップを含む、請求項３０に記載のコンピュータ内で実行されるコンピュータ読み取り可能コードを有するコンピュータで使用可能な媒体を含むコンピュータ・プログラム製品。
【手続補正２】
【補正対象書類名】明細書
【補正対象項目名】発明の名称
【補正方法】変更
【補正の内容】
【発明の名称】少なくとも１つのサーバからクライアント装置へのデータの転送を容易にする方法およびシステム、並びにコンピュータ内で実行されるコンピュータ読み取り可能コードを有するコンピュータで使用可能な媒体を含むコンピュータ・プログラム製品